(57)【要約】【課題】比重の異なる物質が混在している被選別材料を全体的に効率よく選別できるようにした比重差選別機を提供する。【解決手段】装置ハウジング内に選別多孔振動板を傾斜して設けることにより、上部ハウジングと下部ハウジングが形成されてなり、該選別多孔振動板面上に比重の異なる物質が混在する被選別原料をホッパーから投入し、比重の大きい重量物を上端方向に、比重の小さい軽量物を下端方向に分離移動せしめるようにした比重差選別機において、前記上部ハウジング内に空気流を形成して前記ホッパーから投入されて落下する被選別原料の軽量物が該選別多孔振動板面の下端方向に飛ぶようにするための上部ハウジング風力選別手段を前記上部ハウジング内の上流側に設け、前記ホッパーから投入された前記軽量物が下流側へ風力選別されて飛ばされるようにしてなるようにした。【選択図】図１
2014124604.tif 000002
【特許請求の範囲】
【請求項１】
装置ハウジング内に選別多孔振動板を傾斜して設けることにより、上部ハウジングと下部ハウジングが形成されてなり、該選別多孔振動板面上に比重の異なる物質が混在する被選別原料をホッパーから投入し、比重の大きい重量物を上端方向に、比重の小さい軽量物を下端方向に分離移動せしめるようにした比重差選別機において、
前記上部ハウジング内に空気流を形成して前記ホッパーから投入されて落下する被選別原料の軽量物が該選別多孔振動板面の下端方向に飛ぶようにするための上部ハウジング風力選別手段を前記上部ハウジング内の上流側に設け、前記ホッパーから投入された前記軽量物が下流側へ風力選別されて飛ばされるようにしてなることを特徴とする比重差選別機。
【請求項２】
下部ハウジング送風手段を前記下部ハウジング内に設け、下部ハウジング送風手段から空気を該選別多孔振動板面に吹き上げてなることを特徴とする請求項１記載の比重差選別機。
【請求項３】
前記選別多孔振動板の下端部が網状篩部とされてなり、前記下流側へ飛ばされた軽量物のうち砂状物が前記網状篩部から篩い落とされるようにしてなることを特徴とする請求項１又は２記載の比重差選別機。
【請求項４】
前記上部ハウジング風力選別手段が、前記上部ハウジング内の上流側に設けられたファン装置であることを特徴とする請求項１〜３いずれか１項記載の比重差選別機。
【請求項５】
前記上部ハウジング風力選別手段が、前記上部ハウジング内の上流側に設けられたブロワ口を有する循環式ブロワ装置であり、前記上部ハウジング内の上流側に設けられたブロワ口と、前記上部ハウジング内の下流側に設けられた排気口と、前記排気口から空気を吸引して前記空気を清浄化して前記ブロワ口へと空気を循環させて前記上部ハウジング内に吹き込むための集塵装置と、を含み、前記排気口から排気された空気が循環して前記ブロワ口から前記上部ハウジング内に吹き込まれることを特徴とする請求項１〜４いずれか１項記載の比重差選別機。
【請求項６】
前記選別多孔振動板の上方且つ前記上部ハウジング内に、前記選別多孔振動板を水洗するための高圧ジェット洗浄手段を設けてなることを特徴とする請求項１〜５いずれか１項記載の比重差選別機。
【請求項７】
前記上部ハウジング内の雰囲気と前記下部ハウジング内の雰囲気との圧力を測定する圧力測定手段を設け、前記上部ハウジング内の雰囲気と前記下部ハウジング内の雰囲気との圧力差を測定し、前記圧力差が、予め設定した所定の圧力値以上となったら警報を発し、予め設定した所定の圧力値以上となったら装置の操業を停止するか又は前記選別多孔板を洗浄するようにしてなることを特徴とする請求項１〜６いずれか１項記載の比重差選別機。
【請求項８】
前記上部ハウジング内の雰囲気と前記下部ハウジング内の雰囲気との圧力を測定する圧力測定手段を設け、前記上部ハウジング内の雰囲気と前記下部ハウジング内の雰囲気との圧力差を測定し、前記圧力差が、１００パスカル以上となったら警報を発し、２５０パスカル以上となったら装置の操業を停止するか又は前記選別多孔板を洗浄するようにしてなることを特徴とする請求項７記載の比重差選別機。
【発明の詳細な説明】
【技術分野】
【０００１】
本発明は、比重の異なる物質が混在している被選別材料、例えば産業廃棄物等を効率的に選別できるようにした比重差選別機に関する。
【背景技術】
【０００２】
比重の異なる物質が混在している被選別材料、例えば産業廃棄物等を選別できるようにした比重差選別機として、例えば特許文献１に示す比重差選別機が知られている。
【０００３】
また、特許文献２には、廃棄物投入部の下端付近にエアノズルを設け、投入部から供給された廃棄物にエアノズルで空気を吹き付けて、そのうちの軽量物を強制的に振動体下端方向へ送ることにより、廃棄物の組成や供給量によらず、常に精度よく選別を行えるようにした比重差選別機が開示されている。
【０００４】
特許文献２では、網状振動体の下端付近にエアノズルを設け、前記廃棄物投入部から供給された廃棄物が前記網状振動体の上面に達する前に、エアノズルからの空気を勢いよく吹き付けて軽量物を振動体下端方向へ送るというものである。しかしながら、特許文献２の図からわかるように、特許文献２では、軽量物が混入したまま前記網状振動体の上端方向に送られるのを防ぐためにエアノズルが設けられているに過ぎず、エアノズルの取り付け箇所などにより、軽量物を選別しきれないおそれがあるという問題があった。
【先行技術文献】
【特許文献】
【０００５】
【特許文献１】特開２００１−３２７９２６号公報
【特許文献２】特開２００４−１３６２２５号公報
【発明の概要】
【発明が解決しようとする課題】
【０００６】
本発明は、上記した従来技術の問題点に鑑みなされたもので、比重の異なる物質が混在している被選別材料を全体的に効率よく選別できるようにした比重差選別機を提供することを目的とする。
【課題を解決するための手段】
【０００７】
上記課題を解決するため、本発明の比重差選別機は、装置ハウジング内に選別多孔振動板を傾斜して設けることにより、上部ハウジングと下部ハウジングが形成されてなり、該選別多孔振動板面上に比重の異なる物質が混在する被選別原料をホッパーから投入し、比重の大きい重量物を上端方向に、比重の小さい軽量物を下端方向に分離移動せしめるようにした比重差選別機において、前記上部ハウジング内に空気流を形成して前記ホッパーから投入されて落下する被選別原料の軽量物が該選別多孔振動板面の下端方向に飛ぶようにするための上部ハウジング風力選別手段を前記上部ハウジング内の上流側に設け、前記ホッパーから投入された前記軽量物が下流側へ風力選別されて飛ばされるようにしてなることを特徴とする。
【０００８】
さらに下部ハウジング送風手段を前記下部ハウジング内に設け、下部ハウジング送風手段から空気を該選別多孔振動板面に吹き上げてなるのが好適である。前記選別多孔振動板としては、特許文献１及び特許文献２に開示されたような側面視鋸歯状のものがよい。
【０００９】
前記選別多孔振動板の下端部が網状篩部とされてなり、前記下流側へ飛ばされた軽量物のうち砂状物が前記網状篩部から篩い落とされるようにしてなるのが好ましい。これにより、軽量物ではないが微小である砂などの砂状物が除かれる。
【００１０】
前記上部ハウジング風力選別手段が、前記上部ハウジング内の上流側に設けられたファン装置であるのが好適である。
【００１１】
前記上部ハウジング風力選別手段が、前記上部ハウジング内の上流側に設けられたブロワ口を有する循環式ブロワ装置であり、前記上部ハウジング内の上流側に設けられたブロワ口と、前記上部ハウジング内の下流側に設けられた排気口と、前記排気口から空気を吸引して前記空気を清浄化して前記ブロワ口へと空気を循環させて前記上部ハウジング内に吹き込むための集塵装置と、を含み、前記排気口から排気された空気が循環して前記ブロワ口から前記上部ハウジング内に吹き込まれるようにしてもよい。このように構成することで、循環式の上部ハウジング送風手段となる。
【００１２】
前記選別多孔振動板の上方且つ前記上部ハウジング内に、前記選別多孔振動板を水洗するための高圧ジェット洗浄手段を設けてなるのが好ましい。
【００１３】
前記上部ハウジング内の雰囲気と前記下部ハウジング内の雰囲気との圧力を測定する圧力測定手段を設け、前記上部ハウジング内の雰囲気と前記下部ハウジング内の雰囲気との圧力差を測定し、前記圧力差が、予め設定した所定の圧力値以上となったら警報を発し、予め設定した所定の圧力値以上となったら装置の操業を停止するか又は前記選別多孔板を洗浄するようにしてなるのが好適である。
【００１４】
さらに、前記上部ハウジング内の雰囲気と前記下部ハウジング内の雰囲気との圧力を測定する圧力測定手段を設け、前記上部ハウジング内の雰囲気と前記下部ハウジング内の雰囲気との圧力差を測定し、前記圧力差が、１００パスカル以上となったら警報を発し、２５０パスカル以上となったら装置の操業を停止するか又は前記選別多孔板を洗浄するようにしてなるのが好適である。但し、選別する対象物により設定する圧力値は設定変更出来る。装置の操業を停止するにあたっては、上記所定の圧力値となったら自動で装置の電源をＯＦＦにする構成とすればよい。また、前記選別多孔板を洗浄するにあたっては、上記所定の圧力値となったら自動で上記した高圧ジェット洗浄手段で高圧水流を吹き付ける構成とすればよい。
【発明の効果】
【００１５】
本発明によれば、比重の異なる物質が混在している被選別材料を全体的に効率よく選別できるようにした比重差選別機を提供することができるという著大な効果を奏する。
【図面の簡単な説明】
【００１６】
【図１】本発明の比重差選別機の一つの実施の形態を示す正面図である。
【図２】図１の比重差選別機の要部拡大概略説明図である。
【図３】本発明の比重差選別機の別の実施の形態を示す正面図である。
【図４】本発明の比重差選別機の他の実施の形態を示す正面図である。
【図５】図４の上面図である。
【図６】本発明の比重差選別機のさらに別の実施の形態を示す概略説明図である。
【図７】本発明の比重差選別機のさらに他の実施の形態を示す概略説明図である。
【発明を実施するための形態】
【００１７】
以下に本発明の実施の形態を説明するが、これら実施の形態は例示的に示されるもので、本発明の技術思想から逸脱しない限り種々の変形が可能なことはいうまでもない。また、同一の部材は同一の符号で示される。
【００１８】
図１〜図２において、符号１０Ａは本発明の比重差選別機の一つの実施の形態を示す。比重差選別機１０Ａは、比重差選別機本体６２Ａの装置ハウジング１２内に側面視鋸歯状の選別多孔振動板１４を傾斜して設けることにより、上部ハウジング１６と下部ハウジング１８が形成されてなり、該選別多孔振動板面１４上に比重の異なる物質が混在する被選別原料２０をホッパー２２から投入し、比重の大きい重量物２４を上端方向に、比重の小さい軽量物２６を下端方向に分離移動せしめるようにした比重差選別機において、前記上部ハウジング１６内に空気流を形成して前記ホッパー２２から投入されて落下する被選別原料２０の軽量物２６が選別多孔振動板１４の下端方向に飛ぶようにするための上部ハウジング風力選別手段２８を前記上部ハウジング１６内の上流側３２に設け、前記ホッパー２２から投入された前記軽量物２６が下流側３４へ風力選別されて飛ばされるようにしてなる。重量物２４は重量物排出口２５から、軽量物２６は軽量物排出口２７から、それぞれ排出される。図１〜図２では、上部ハウジング風力選別手段２８としては、ファン装置３０の例を示した。なお、符号３５は、ファン装置３０の駆動手段（例えばモータ）である。
【００１９】
また、前記下部ハウジング１８内に設けられた下部送風手段３６から空気を該選別多孔振動板１４面に吹き上げてなるように構成されている。これにより、該選別多孔振動板１４面上の小さな重量物が該選別多孔振動板１４面から落ちて排出口３９から排出されて選別多孔振動板下品４１となる。図示例では、下部送風手段３６としてファン装置３７の例を示した。下部送風手段３６としては、空気を該選別多孔振動板１４面に吹き上げてればよいものであるから、ファン装置３７以外にも例えばブロワ装置なども適用できる。なお、符号３８は集塵機（図示せず）の集塵口であり、集塵口３８から塵４０などが排出される。
【００２０】
さらに、図１〜図２の例では、前記選別多孔振動板１４の下端部が網状篩部４２とされてなり、前記下流側３４へ飛ばされた軽量物２６のうち砂状物が前記網状篩部４２から篩い落とされ，網状篩部下品４３となるようにしてなるように構成されている。なお、前記網状篩部４２は、必要に応じて設けるようにすればよく、前記網状篩部４２を設けない構成としてもよい。
【００２１】
このように構成することで、例えば被選別材料のうち、重量物（鉄くずや砂など）が半分、軽量物（例えば木材など）が半分を占めている場合、従来の比重差選別機に比べて、およそ２倍の処理スピードとなる。
【００２２】
また、本発明の比重差選別機の別の実施の形態を図３に示す。図３において、符号１０Ｂは本発明の比重差選別機を示す。比重差選別機１０Ｂは、下部送風手段４４が、ブロワ装置４６ａ，４６ｂの例を示した。これにより、該選別多孔振動板１４面上の小さな重量物が該選別多孔振動板１４面から落ちて排出口４８から排出されて選別多孔振動板下品５０となる。比重差選別機１０Ｂは、上記した下部送風手段４４以外の構成は上記比重差選別機１０Ａと同様であるので再度の説明は省略する。
【００２３】
次に、本発明の比重差選別機の他の実施の形態を図４〜図５に示す。図４〜図５において、符号１０Ｃは本発明の比重差選別機を示す。比重差選別機１０Ｃは、比重差選別機本体６２Ｃの装置ハウジング１２内に選別多孔振動板１４を傾斜して設けることにより、上部ハウジング１６と下部ハウジング１８が形成されてなり、該選別多孔振動板面１４上に比重の異なる物質が混在する被選別原料２０をホッパー２２から投入し、比重の大きい重量物２４を上端方向に、比重の小さい軽量物２６を下端方向に分離移動せしめるようにした比重差選別機において、前記上部ハウジング１６内に空気流を形成して前記ホッパー２２から投入されて落下する被選別原料２０の軽量物２６が選別多孔振動板１４の下端方向に飛ぶようにするための上部ハウジング風力選別手段５２を前記上部ハウジング１６内の上流側３２に設け、前記ホッパー２２から投入された前記軽量物２６が下流側３４へ風力選別されて飛ばされるようにしてなる。
【００２４】
図４〜図５では、上部ハウジング風力選別手段５２としては、ファン装置の例を示した。前記上部ハウジング風力選別手段５２は、前記上部ハウジング１６内の上流側３２に設けられたブロワ口５４を有する循環式ブロワ装置５６であり、前記上部ハウジング１６内の上流側３２に設けられたブロワ口５４と、前記上部ハウジング内１６の下流側に設けられた排気口５８と、前記排気口５８から空気を吸引して前記空気を清浄化して前記ブロワ口５４へと空気を循環させて前記上部ハウジング１６内に吹き込むための集塵装置６０と、を含み、前記排気口５８から排気された空気が循環して前記ブロワ口５４から前記上部ハウジング１６内に吹き込まれる構成とされている。また、符号６４，６６は比重差選別機本体６２と集塵装置６０とを接続する配管である。また、配管６６には、サイレンサ６８が設けられている。
【００２５】
さらに、前記下部ハウジング１８内に設けられた下部送風手段３６から空気を該選別多孔振動板１４面に吹き上げてなるように構成されている。これにより、該選別多孔振動板１４面上の小さな重量物が該選別多孔振動板１４面から落ちて排出口３９から排出されて選別多孔振動板下品となる。図示例では、下部送風手段３６としてファン装置３７の例を示した。下部送風手段３６としては、空気を該選別多孔振動板１４面に吹き上げてればよいものであるから、ファン装置３７以外にも例えばブロワ装置なども適用できる。
【００２６】
さらにまた、上記比重差選別機１０Ａと同様に、前記選別多孔振動板１４の下端部を網状篩部４２とし、前記下流側３４へ飛ばされた軽量物２６のうち砂状物が前記網状篩部から篩い落とされるように構成してもよい。
【００２７】
次に、本発明の比重差選別機のさらに別の実施の形態を図６に示す。図６において、符号１０Ｄは本発明の比重差選別機を示す。比重差選別機１０Ｄは、比重差選別機本体６２Ｄの装置ハウジング１２内に選別多孔振動板１４を傾斜して設けることにより、上部ハウジング１６と下部ハウジング１８が形成されてなり、該選別多孔振動板面１４上に比重の異なる物質が混在する被選別原料２０をホッパー２２から投入し、比重の大きい重量物２４を上端方向に、比重の小さい軽量物２６を下端方向に分離移動せしめるようにした比重差選別機において、前記上部ハウジング１６内に空気流を形成して前記ホッパー２２から投入されて落下する被選別原料２０の軽量物２６が選別多孔振動板１４の下端方向に飛ぶようにするための上部ハウジング風力選別手段５２を前記上部ハウジング１６内の上流側３２に設け、前記ホッパー２２から投入された前記軽量物２６が下流側３４へ風力選別されて飛ばされるようにしてなり、前記選別多孔振動板１４の上方且つ前記上部ハウジング１６内に、前記選別多孔振動板１４を水洗するための高圧ジェット洗浄手段７０を設けてなる。重量物２４は重量物排出口２５から、軽量物２６は軽量物排出口２７から、それぞれ排出される。図示例では、高圧ジェット洗浄手段７０として、ノズルから高圧水流７１が吹き出る複数のウォータジェットノズル７２を設けた例を示した。このような構成により、前記選別多孔振動板１４がきれいに洗浄される。比重差選別機１０Ｄは、上記した高圧ジェット洗浄手段７０以外の構成は上記比重差選別機１０Ａと同様であるので再度の説明は省略する。なお、高圧ジェット洗浄手段７０は、本発明の比重差選別機のいずれの態様にも適用可能である。
【００２８】
次に、本発明の比重差選別機のさらに他の実施の形態を図７に示す。図７において、符号１０Ｅは本発明の比重差選別機を示す。比重差選別機１０Ｅは、比重差選別機本体６２Ｅの装置ハウジング１２内に選別多孔振動板１４を傾斜して設けることにより、上部ハウジング１６と下部ハウジング１８が形成されてなり、該選別多孔振動板面１４上に比重の異なる物質が混在する被選別原料２０をホッパー２２から投入し、比重の大きい重量物２４を上端方向に、比重の小さい軽量物２６を下端方向に分離移動せしめるようにした比重差選別機において、前記上部ハウジング１６内に空気流を形成して前記ホッパー２２から投入されて落下する被選別原料２０の軽量物２６が選別多孔振動板１４の下端方向に飛ぶようにするための上部ハウジング風力選別手段５２を前記上部ハウジング１６内の上流側３２に設け、前記ホッパー２２から投入された前記軽量物２６が下流側３４へ風力選別されて飛ばされるようにしてなり、前記選別多孔振動板１４の上方且つ前記上部ハウジング１６内に、前記上部ハウジング１６内の雰囲気の圧力を測定する圧力測定手段７４（図示例では差圧計）を設け、前記選別多孔振動板１４の下方且つ前記下部ハウジング１８内に、前記下部ハウジング１８内の雰囲気の圧力を測定する圧力測定手段７６が設けられている。
【００２９】
これにより、前記上部ハウジング１６内の雰囲気と前記下部ハウジング１８内の雰囲気との圧力差を測定し、前記圧力差が、予め設定した所定の圧力値以上となったら警報を発し、予め設定した所定の圧力値以上となったら装置の操業を停止するか又は前記選別多孔板１４を洗浄するようにされている。なお、前記圧力測定手段としては差圧計を使用できる。
【００３０】
装置の操業を停止するには、所定の圧力差となった場合に本発明の比重差選別機の電源が自動的にＯＦＦとなるようにすればよい。また、所定の圧力差となった場合に前記選別多孔板１４を洗浄するにあたっては、上記した高圧ジェット洗浄手段７０を設けておけば、所定の圧力差となった場合に前記選別多孔板１４を自動的に洗浄することが可能となる。
【００３１】
また、図７に示すように、集塵風量、下部ハウジング送風手段、及び上部ハウジング風力選別手段の風量をそれぞれ測定できるように風量測定手段を設け、さらに、重量物排出口２５及び軽量物排出口２７にも風量測定手段を設けるのが好ましい。好ましくは重量物排出口２５にシャッター（図示せず）を設けて重量物排出口２５を閉塞可能とし、重量物排出口２５及び軽量物排出口２７からの空気の流れを測定する。風量測定手段としては風量計が使用できる。好ましくは、重量物排出口２５及び軽量物排出口２７から空気が僅かに吸い込まれている状態、すなわち、比重差選別機本体６２Ｅの内部が僅かに負圧となっている状態が好ましい。
【００３２】
次に、比重差選別機１０Ｅの使用手順を説明する。
【００３３】
１．圧力測定手段７６で圧力を確認する。
２．各風量測定手段の風量を確認する。
３．それらの値が正常値の範囲であるか確認する（正常値とは、初期値を測定し、一定の幅を持たせたもの）。
４．前記上部ハウジング１６内の雰囲気と前記下部ハウジング１８内の雰囲気との圧力差が、異常値の場合（例えば１００パスカル以上）となった場合には、警報を発し、２５０パスカル以上になったら装置の操業を停止するか又は前記選別多孔板を洗浄する。但し、選別する対象物により設定する圧力値は設定変更できる。
【００３４】
このように比重差選別機１０Ｅを使用することで、従来よりも安全にかつ効率よく選別を行うことができる。また、コンピュータ制御により上記手順を自動化することもできる。
【符号の説明】
【００３５】
１０Ａ，１０Ｂ，１０Ｃ，１０Ｄ，１０Ｅ：比重差選別機、１２：装置ハウジング、１４：選別多孔振動板、１６：上部ハウジング、１８：下部ハウジング、２０：被選別原料、２２：ホッパー、２４：重量物、２５：重量物排出口、２６：軽量物、２７：軽量物排出口、２８，５２：上部ハウジング風力選別手段、３０，３７：ファン装置、３２：上流側、３４：下流側、３５：駆動手段、３６，４４：下部送風手段、３８：集塵口、３９，４８：排出口、４０：塵、４１：選別多孔振動板下品、４２：網状篩部、４３：網状篩部下品、４６ａ，４６ｂ：ブロワ装置、５０：選別多孔振動板下品、５４：ブロワ口、５６：循環式ブロワ装置、５８：排気口、６０：集塵装置、６２Ａ，６２Ｂ，６２Ｃ，６２Ｄ，６２Ｅ：比重差選別機本体、６４，６６：配管、６８：サイレンサ、７０：高圧ジェット洗浄手段、７１：高圧水流、７２：ウォータジェットノズル、７４，７６：圧力測定手段。
【図１】
2014124604.tif 000003
【図２】
2014124604.tif 000004
【図３】
2014124604.tif 000005
【図４】
2014124604.tif 000006
【図５】
2014124604.tif 000007
【図６】
2014124604.tif 000008
【図７】
2014124604.tif 000009